(57)【要約】【課題】  水槽内に簡単に取り外しができる広告板を取り付けるとともに、オゾンエアーレーションにより水槽内にオゾン泡を発生させて水槽内の水を除菌・消臭するのと同時に室内空気を除菌・消臭する効果に着目し、相乗効果を発揮し得る広告用室内除菌装置を提供する。【解決手段】  エアーレーション装置を有する水槽１１内に簡単に取り外しができる広告板１３を取り付けて広告機能を備えるとともに、エアーレーション装置からオゾンエアーを供給することにより水槽１１内にオゾン泡を発生させて水槽１１内の水と室内空気を除菌・消臭する機能を兼ね備えた。広告板１３はアクリル樹脂によって形成され、その表面に文字、記号、図形、ロゴなどの広告内容をエッジング加工し、広告板１３を水槽１１の底板に穿設されたエアー孔の後方領域に立設せしめ着脱自在に取り付け、広告板１３の下方に照明装置を設けて広告板１３に光を透過させる。【選択図】図１
0003112013.tif 000002
【実用新案登録請求の範囲】
【請求項１】
エアーレーション装置を有する水槽内に簡単に取り外しができる広告板を取り付けて広告機能を備えるとともに、前記エアーレーション装置からオゾンエアーを供給することにより前記水槽内にオゾン泡を発生させて水槽内の水と室内空気を除菌・消臭する機能を兼ね備えた広告用室内除菌装置。
【請求項２】
前記広告板はアクリル樹脂によって形成され当該広告板の表面に文字、記号、図形、ロゴなどの広告内容をエッジング加工し、前記広告板を前記水槽の底板に穿設されたエアー孔の後方領域に立設せしめ固定手段により着脱自在に取り付け、前記広告板の下方の前記水槽の底板下側に照明装置を設けて当該広告板に光を透過させることを特徴とする請求項１に記載の広告用室内除菌装置。
【請求項３】
前記エアーレーション装置は前記水槽の底板下側にエアーホースを介在して連設されるエアーポンプとオゾン発生器とエアーボックスからなり、前記エアーボックスは前記水槽の底板に穿設された前記エアー孔の下側に配置され、前記エアーポンプが作動して圧送されるエアーに前記オゾン発生器内において発生したオゾンを混合したオゾンエアーを前記エアーボックス内に供給することにより前記水槽内にオゾン泡を発生させることを特徴とする請求項２に記載の広告用室内除菌装置。
【考案の詳細な説明】
【技術分野】
【０００１】
本考案は、オゾンエアーレーションを利用した広告用室内除菌装置に関するものである。
【背景技術】
【０００２】
オゾンにより水槽内を殺菌脱臭して浄化するための装置に関し、実開平２−７４３２７号公報には、水槽等に備えた酸素供給機のポンプ器とノズルとの間の管路にオゾン発生室を配設し、該オゾン発生室にてオゾンを発生せしむべくオゾン発生器を該オゾン発生室に連設した「水槽等へのオゾン供給装置」が開示されている（特許文献１）。
【０００３】
【特許文献１】実開平２−７４３２７号公報
【０００４】
上記先行技術文献に開示された考案によれば、オゾン供給装置を魚槽に備えた場合には、魚槽内の水を長期間に亘って清浄水を維持することができるとともに、魚類の健全なる育成に寄与することができる。また、オゾン供給装置を浴槽に備えた場合には、浴槽の水中の雑菌を殺菌するとともに、悪臭発散の防止になるという効果を奏することができる。
【考案の開示】
【考案が解決しようとする課題】
【０００５】
本考案は、装置自体を広告用途に利用できるように水槽内に簡単に取り外しができる広告板を取り付けるとともに、オゾンエアーレーションにより水槽内にオゾン泡を発生させて水槽内の水を除菌・消臭するのと同時に室内空気を除菌・消臭する効果に着目することにより、従来には存在しなかった相乗効果を発揮し得る広告用室内除菌装置を提供することを目的とする。
【課題を解決するための手段】
【０００６】
上記課題を解決するために、請求項１に記載の考案は、エアーレーション装置を有する水槽内に簡単に取り外しができる広告板を取り付けて広告機能を備えるとともに、前記エアーレーション装置からオゾンエアーを供給することにより前記水槽内にオゾン泡を発生させて水槽内の水と室内空気を除菌・消臭する機能を兼ね備えた構成を採用したのである。
【０００７】
また、請求項２に記載の考案は、請求項１に記載の考案において、前記広告板はアクリル樹脂によって形成され当該広告板の表面に文字、記号、図形、ロゴなどの広告内容をエッジング加工し、前記広告板を前記水槽の底板に穿設されたエアー孔の後方領域に立設せしめ固定手段により着脱自在に取り付け、前記広告板の下方の前記水槽の底板下側に照明装置を設けて当該広告板に光を透過させることを特徴とする。
【０００８】
また、請求項３に記載の考案は、請求項２に記載の考案において、前記エアーレーション装置は前記水槽の底板下側にエアーホースを介在して連設されるエアーポンプとオゾン発生器とエアーボックスからなり、前記エアーボックスは前記水槽の底板に穿設された前記エアー孔の下側に配置され、前記エアーポンプが作動して圧送されるエアーに前記オゾン発生器内において発生したオゾンを混合したオゾンエアーを前記エアーボックス内に供給することにより前記水槽内にオゾン泡を発生させることを特徴とする。
【考案の効果】
【０００９】
本考案によれば、水槽内に簡単に取り外しできる広告板を取り付けて看者の注意を喚起し宣伝広告効果を発揮するとともに、エアーレーション装置からオゾンエアーを供給することにより水槽内にオゾン泡を発生させて水槽内の水と室内空気を除菌・消臭する効果を発揮するため、従来には存在しなかった相乗効果を奏することができる。
【考案を実施するための最良の形態】
【００１０】
以下、本考案の実施の一形態について、図面を参酌しながら説明する。
【００１１】
図１は、本考案にかかる広告用室内除菌装置の実施形態の一例を示す正面図である。図２は、図１に示す広告用室内除菌装置の側面図、図３は、図１に示す広告用室内除菌装置の平面図である
【００１２】
図１乃至図３に示すように、広告用室内除菌装置１０は、アクリル樹脂製の水槽１１と、水槽１１の内部に取り付けられたアクリル樹脂製の広告板１３と、水槽１１の底板１６の下側を化粧板１２で覆設されている内部に設けられたエアーレーション装置とから構成される。
【００１３】
アクリル樹脂製の広告板１３は、水槽１１の上端から突出するような大きさ及び形状に形成され、水槽１１の正面板には広告板１３の幅に合わせた切込みが形成されている（図１参照）。広告板１３の大きさ及び形状、水槽１１の正面板の切込みは、図示するものに限定されず、広告板１３の表面にエッジング加工して施される文字、記号、図形、ロゴなどの広告内容に応じて適宜変更することができる。
【００１４】
アクリル樹脂製の広告板１３は、水槽１１の底板１６の略中央領域に所定の間隔をおいて穿設された複数のエアー孔１７の後方領域に配置され、取付部１４，１５によって立設される（図２、図３参照）。エアー孔１７の設置箇所及び数、広告板１３の取付位置は、図示するものに限定されず、上述した広告板１３の大きさ及び形状、水槽１１の正面板の切込みと同様に適宜変更することができる。
【００１５】
図７は、広告板１３の取付構造を示す一部拡大断面図である。広告板１３は、取付部１４，１５に蝶プラビスなどの固定具１４ａにより着脱自在に取り付けられている。広告板１３の取付部１４，１５、固定具１４ａは、図示するものに限定されず、広告板１３の取り外しを簡単に行うことができるものであれば、任意の固定手段を採用することができる。
【００１６】
広告板１３の下方の水槽１１の底板１６の下側に照明装置３１が設けられている。照明装置３１によって広告板１３に光を透過させることにより、広告板１３の表面にエッジング加工して施されている文字、記号、図形、ロゴなどが透過光の拡散によって輝度が高められ、広告内容を浮かんだように見せることができる。
【００１７】
次に、水槽１１の底板１６の下側に設けられたエアーレーション装置について説明する。図４は、図１に示す広告用室内除菌装置の断面図（正面）、図５は、図１に示す広告用室内除菌装置の断面図（側面）、図６は、エアーボックスの構造を示す一部拡大断面図である。
【００１８】
エアーレーション装置は、水槽１１の底板１６の下側にエアーホース２１、２４を介在して連設されるエアーポンプ２０と、オゾン発生器２２と、エアーボックス２５からなり、エアーボックス２５は上述した水槽１１の底板１６に穿設されたエアー孔１７の下側に配置され、エアーボックス２５の内部にエアーホース２６が潜通している（図６参照）。
【００１９】
オゾン発生器２２は、放電式オゾン発生器、電解式オゾン発生器など従来から存在するものを採用することができるが、オゾンの発生量を適正に調節できるものが好ましい。
【００２０】
広告用室内除菌装置１０を使用する際、エアーポンプ２０が作動して圧送されるエアーにオゾン発生器２２内において発生したオゾンを混合したオゾンエアーがエアーボックス２５に供給されることにより、水槽１１内にオゾン泡が発生する（図４参照）。これにより、水槽１１内の水にオゾンが融解し水を除菌し、腐敗による悪臭の発散を防止することができる。また、空気中に放出されたオゾンは、室内空気を除菌し消臭する効果を発揮するため、室内環境を清潔に保つことができる。
【００２１】
以上のように、広告用室内除菌装置１０は、水槽１１内に簡単に取り外しできる広告板１３を取り付け、上述したように透過光の拡散によって広告内容を浮かんだように見せて看者の注意を喚起して宣伝広告効果を発揮するとともに、エアーレーション装置からオゾンエアーを供給することにより水槽内にオゾン泡を発生させて水槽内の水と室内空気を除菌・消臭する効果を発揮することができる。
【００２２】
また、本考案にかかる広告用室内除菌装置は、例えば、手洗い用に使用することができる。この場合、広告板１３の前で手洗いをすると、広告内容に使用者の目を引くことが容易になり、また、水槽１１内にオゾン泡を発生させて水槽１１内の水と室内空気を除菌・消臭する効果を奏するため、使用者に清潔感を与えることができる。
【図面の簡単な説明】
【００２３】
【図１】広告用室内除菌装置の実施形態の一例を示す正面図である。
【図２】図１に示す広告用室内除菌装置の側面図である。
【図３】図１に示す広告用室内除菌装置の平面図である。
【図４】図１に示す広告用室内除菌装置の断面図（正面）である。
【図５】図１に示す広告用室内除菌装置の断面図（側面）である。
【図６】エアーボックスの構造を示す一部拡大断面図である。
【図７】広告板の取付構造を示す一部拡大断面図である。
【符号の説明】
【００２４】
１０  広告用室内除菌装置
１１  水槽
１２  化粧板
１３  広告板
１４、１５  取付部
１４ａ  固定具
１６  底板
１７  エアー孔
２０  エアーポンプ
２１、２４、２６  エアーホース
２２  オゾン発生器
２３  逆止弁
２５  エアーボックス
３０  照明基盤
３１  照明ボックス
【図１】
0003112013.tif 000003
【図２】
0003112013.tif 000004
【図３】
0003112013.tif 000005
【図４】
0003112013.tif 000006
【図５】
0003112013.tif 000007
【図６】
0003112013.tif 000008
【図７】
0003112013.tif 000009